(57)【要約】【課題】金属加工された鉄線（すなわち鉄棒）および支柱に工夫を施さない直線的な加工では、らせん回転形状に金属加工された鉄線および支柱との耐震強度の大きな差が生じるのである。【解決手段】金属加工された鉄線（すなわち鉄棒）および支柱原料である鉄鉱石には各種不純物が混在しているのであるが、これらを含む鉄鉱石を高熱の精錬加工時に金属加工する鉄線（すなわち鉄棒）および支柱そのものを、製造時において、らせん回転形状に巻き込み仕上げとすることで強度を高めることができるのである。液体と同じように純度が高い緩衝能が低いものほど酸化しやすく、不純物が含まれていることで酸化進行が遅延されるのである。【選択図】図１
2013213385.tif 000002
【特許請求の範囲】
【請求項１】
少なくとも、らせん回転形状に金属加工された鉄線（すなわち鉄棒）および支柱であって、当該金属加工そのものを右回りのらせん回転の巻き込み加工とすることを特徴とするらせん回転形状に加工した鉄線および支柱。
【請求項２】
らせん回転形状に金属加工された鉄線および支柱は、高速道路架橋支柱、新幹線橋支柱、電力送電線鉄塔、橋梁柱、電柱、鉄柱、船舶内の支柱、高層ビル柱、アンテナ塔、索道（ロープウェイおよびゴンドラリフト）、電車内の手すり、電車ホーム柵、ビル建設の柱ならびにＤＩＹ組立足場、足場パイプ、ベランダ鉄柵、パイプ棚に用いることを特徴とする請求項１に記載のらせん回転形状に加工した鉄線および支柱。
【請求項３】
らせん回転形状に金属加工された鉄線および支柱は、高速道路架橋支柱、新幹線橋支柱、電力送電線鉄塔、橋梁柱、電柱、鉄柱、船舶、高層ビル柱、アンテナ塔、索道（ロープウェイおよびゴンドラリフト）、電車内の手すり、電車ホーム柵、ビル建設の柱ならびにＤＩＹ組立足場および足場パイプ、ベランダ鉄柵、パイプ棚等に巻付補強として用いることを特徴とする請求項１又は２に記載のらせん回転形状に加工した鉄線および支柱。
【請求項４】
らせん回転形状に金属加工された鉄線および支柱は、傘、補助杖、パイプ椅子、車椅子、イベント会場におけるＤＩＹ組立足場および足場パイプ、バリアフリーの持ち手部分のパイプ、寝具ベット、飛行機、電車、各種乗り物の持ち手の支柱等に用いることを特徴とする請求項１又は３に記載のらせん回転形状に加工した鉄線および支柱。
【請求項５】
らせん回転形状に金属加工された鉄線および支柱は、鉄線および支柱であって、らせん回転形状に加工した鉄線および支柱の形状は円筒、円錐、四角、多角形、棒状、平たい等の請求項１、２、３又は４に記載のらせん回転形状に加工した鉄線および支柱。
【請求項６】
らせん回転形状に金属加工された鉄線および支柱は、耐震補強対象物の支柱に当該鉄線を右回りのらせん回転で巻きつけ補強することを特徴とする請求項１、２、３、４又は５に記載のらせん回転形状に加工した鉄線および支柱。
【発明の詳細な説明】
【技術】
【０００１】らせん回転形状に金属加工された鉄線および支柱であって、当該金属加工そのものを右回りのらせん回転の巻き込み加工とすることを特徴とするらせん回転形状に加工した鉄線および支柱にかんする。
【０００２】今日ほど、地震や台風等に対して早急の強度補強が求められていることはないのである。
【０００３】このことを踏まえ、これからの建造物および製品製造物の強度を高める上で大いに役立たせることを現在進行中の建造物、製品製造物又はすでに完成し使用されている物についても補強として、本発明の目的は、らせん回転形状に金属加工された鉄線および支柱を用いるものであり、ツル植物が大樹に巻付き、互いに痩せた土壌や岩盤状のわずかな土壌下でありながらも強風に耐え、頑強にらせん回転で成長する樹木のらせん回転形状に着眼したのである。
【背景技術】
【０００４】  従来の電極線において加工速度の向上、及び高速加工時の耐断線性の向上を提供している（［特許文献１］）特許第３４０５０６９号であり、電柱などの支柱においても高品質の電柱製造が可能な電柱製造方法を提供する（［特許文献２］）特許第４７３２６６９号があるが、いずれも製造加工品質向上を示すものであり、らせん回転形状に金属加工された鉄線および支柱そのものを右回りのらせん回転形状として建造物強度を高める意識はなく本発明とは技術的意義を全く異にする。
【特許文献１】特許第３４０５０６９号
【特許文献２】特許第４７３２６６９号本発明のらせん回転形状に金属加工された鉄線および支柱は高速道路架橋支柱、新幹線橋支柱、電力送電線鉄塔、橋梁柱、電柱、鉄柱、船舶、高層ビル柱、アンテナ塔、索道（ロープウェイおよびゴンドラリフト）、電車内の手すり、電車ホーム柵、ビル建設の柱ならびにＤＩＹ組立足場、足場パイプ、ベランダ鉄柵、パイプ棚に用いることを特徴とするらせん回転形状に加工した鉄線および支柱である。
【発明の概要】
【発明が解決しようする課題】
【０００５】地震や台風等に対して早急の強度補強が求められている状況において、進行中の建造物ならびにすでに完成された建造物や製品製造物においても耐震性の強度が緊急課題として求められているのである。
【０００６】本発明は自然摂理におけるツル植物に巻き付かれた樹木が、互いに共生するように土壌が痩せた劣悪条件下の火山岩および岩盤上に育つ樹木は、ツル植物以外でも大地からの栄養吸収と太陽光からのエネルギー補給を効率良い循環とするために、自らの幹をもらせん状に巻き込んだ形状で空に向かって伸びていることに着眼したのである。
【０００７】本発明の金属加工された鉄線は、鉄線の外側壁のみを、単純に凹凸やらせん回転形状にするのでは強度を高めることができないのである。鉄線および支柱そのものを製造加工時に右回りの巻き込み仕上げとすることが必須で、らせん回転形状に金属加工された鉄線および支柱の形状利用は円筒、円錐、四角、多角形、棒状、平たい等にこだわらない。
【０００８】鉄柱が純度の高い鉄製だから錆びないということはなく。酸化し錆びることは９９．７２％の純度ならば５０年ほどで錆びるということは金属工学の世界では周知のことである。しかし古代の建造物でサンスクリットの表面に刻まれた碑文が間風雨に曝されながら錆びなかった理由は、鉄の純度の高さではなく不純物の存在にあるという説が注目されている。不安定な鉄は、酸素を取り込んで、鉄鉱石は酸化鉄の状態で安定するのであるが、精錬した鉄も同様である。
【０００９】本発明は、金属加工された鉄線（すなわち鉄棒）および支柱に工夫を施さない直線的な加工では、らせん回転形状に金属加工された鉄線および支柱との耐震強度の大きな差が生じるのである。ことを自然摂理のツル植物や劣悪条件下で、らせん回転形状で生きている大樹の生命力に着眼したものでる。金属加工された鉄線（すなわち鉄棒）および支柱原料である鉄鉱石には各種不純物が混在しているのであるが、これらを含む鉄鉱石を高熱の精錬加工時にらせん回転形状に巻き込み仕上げとすることで強度を高めることができるのである。
【課題を解決するための手段】
【００１０】金属加工された鉄線（すなわち鉄棒）および支柱の原料である鉄鉱石には、各種不純物が混在しているのであるが、これらを含む鉄鉱石を高熱の精錬加工時にらせん回転形状に巻き込み仕上げとすることで強度を高めることになる。液体と同じように純度が高いほど酸化しやすく、不純物が含まれていることで酸化速度が遅延される。
【００１１】らせん回転形状に金属加工された鉄線（すなわち鉄棒）および支柱であって、当該金属加工そのものを右回りのらせん回転の巻き込み加工とする手段としたのである。
【実施例】
【００１２】以下、本発明の図１について説明する。図１は金属加工の芯線となる鉄線そのものを、右回りのらせん回転形状に巻き込み仕上げとした図で、鉄線の外側壁のみを、単純に凹凸やらせん回転形状にするのでは強度を高めることができないことから鉄線の４は右回りのらせん回転形状の鉄線で長さに制限はない。つづいて図２を説明する。ビル建設および高速道路架橋支柱、新幹線橋支柱などにおける基礎部分に鉄柱の基礎コンクリート埋め込みの鉄線利用図２である。縦軸に４の右回りのらせん回転形状の鉄線を組み込むと同時にらせん回転形状の鉄線を用いた円形７で構成される。５は支柱上部であり、８は下部にあたる。【００１３】さらに図３について説明する。建造物がすでに完成後において年月が経過した場合において基礎部分の支柱補強が必要とする場合の図３で、基礎支柱そのものを、本発明の金属加工の鉄線を用いてらせん回転に巻付補強とした場合を示す図である。図２で示された縦軸に４の右回りのらせん回転形状の鉄線、らせん回転形状の鉄線を用いた円形７で構成され、らせん回転形状で加工された鉄線６で巻付補強し、５は支柱上部であり、８は支柱下部にあたる。【００１４】図４の説明において説明する。９は本発明の金属加工の鉄線利用が支柱が四角形の場合においての説明図。４は右回りのらせん回転形状の鉄線、らせん回転形状で加工された鉄線６巻き込み補強とし、５は四角形支柱上部であり１０は四角形支柱下部である。【００１５】図５について説明する。電柱の補強に、らせん回転形状の鉄線をらせん回転で電柱に巻付補強した図１１で、１１は電柱および長く高いポール等であり、１２は電柱支柱の上部、らせん回転形状で加工された鉄線６を巻きつける。１３は電柱支柱の下部で長さは限定されない。
【発明の効果】
【００１６】建造物における支柱の形状にかかわらず本発明のらせん回転形状に金属加工された鉄線（すなわち鉄棒）および支柱を用いることで、地震や台風等に対して早急の強度補強が求められている状況において、進行中の建造物ならびにすでに完成された建造物や製品製造物においても耐震性の強度を高めることができ安全で快適な生活環境に大いに資することができる。
【図面の簡単な説明】
【００１７】
【図１】本発明の金属加工の鉄線そのものを、右回りのらせん回転形状に巻き込み仕上げとした図。
【図２】本発明の金属加工の鉄線を基礎部分に鉄柱の基礎コンクリート埋め込みの鉄線利用図。
【図３】本発明の金属加工の鉄線を用いてらせん回転に巻付補強とした場合を示す図。
【図４】本発明の金属加工の鉄線利用が支柱が四角形の場合においての説明図。
【図５】本発明の電柱補強に、らせん回転形状の鉄線を、らせん回転で電柱に巻付補強した図
【符号の説明】
【００１８】１  らせん回転形状の芯線である金属加工の鉄線図
２  鉄線利用図
３  支柱補強が必要とする場合の図
４  右回りのらせん回転形状の鉄線
５  支柱上部
６  らせん回転形状で加工された鉄線
７  らせん回転形状の鉄線を用いた円形
８  支柱下部
９  金属加工の鉄線利用が支柱が四角形
１０  四角形支柱下部
１１  電柱および長く高いポール利用図
１２  電柱支柱
１３  電柱の下部
【図１】
2013213385.tif 000003
【図２】
2013213385.tif 000004
【図３】
2013213385.tif 000005
【図４】
2013213385.tif 000006
【図５】
2013213385.tif 000007
【手続補正書】
【提出日】平成24年4月26日(2012.4.26)
【手続補正１】
【補正対象書類名】図面
【補正対象項目名】図２
【補正方法】変更
【補正の内容】
【図２】
2013213385.tif 000008
【手続補正２】
【補正対象書類名】図面
【補正対象項目名】図３
【補正方法】変更
【補正の内容】
【図３】
2013213385.tif 000009
【手続補正３】
【補正対象書類名】図面
【補正対象項目名】図４
【補正方法】変更
【補正の内容】
【図４】
2013213385.tif 000010
【手続補正４】
【補正対象書類名】図面
【補正対象項目名】図５
【補正方法】変更
【補正の内容】
【図５】
2013213385.tif 000011